【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
遊技機に対応して設けられ、遊技者が所有する遊技用価値を遊技機での遊技に使用させるための使用処理を行う遊技用装置と、
遊技機が稼働しているか否かを特定可能な稼働情報に基づいて、稼働していない遊技機を空き台として特定する空き台特定手段と、
遊技機がいずれの属性に属するかを示す属性情報を記憶する遊技機記憶手段と、
前記遊技機記憶手段に記憶された前記属性情報を表示条件として設定する表示条件設定手段と、から構成され、
前記空き台特定手段は、該表示条件設定手段により設定された表示条件を満たし、かつ稼働していない遊技機を、前記空き台として特定し、
前記遊技用装置は、前記空き台特定手段により特定された空き台の情報を表示させる空き台表示処理を行う空き台表示手段を有することを特徴とする遊技用システム。
【請求項２】
遊技機に対応して設けられ、遊技者が所有する遊技用価値を遊技機での遊技に使用させるための使用処理を行う遊技用装置と、
遊技機が稼働しているか否かを特定可能な稼働情報に基づいて、稼働していない遊技機を空き台として特定する空き台特定手段と、
遊技機における遊技の履歴情報を記憶する遊技機記憶手段と、
前記遊技機記憶手段に記憶された前記履歴情報を表示条件として設定する表示条件設定手段と、から構成され、
前記空き台特定手段は、該表示条件設定手段により設定された表示条件を満たし、かつ稼働していない遊技機を、前記空き台として特定し、
前記遊技用装置は、前記空き台特定手段により特定された空き台の情報を表示させる空き台表示処理を行う空き台表示手段を有することを特徴とする遊技用システム。
【手続補正２】
【補正対象書類名】明細書
【補正対象項目名】発明の名称
【補正方法】変更
【補正の内容】
【発明の名称】遊技用システム
【手続補正３】
【補正対象書類名】明細書
【補正対象項目名】０００１
【補正方法】変更
【補正の内容】
【０００１】
本発明は、遊技機に対応して設けられ、遊技者が所有する遊技用価値（例えばプリペイド残額，持玉数，貯玉数）を遊技機での遊技に使用させるための使用処理（例えば玉貸処理，持玉払出処理，貯玉再プレイ処理）を行う遊技用装置を備える遊技用システムに関する。
【手続補正４】
【補正対象書類名】明細書
【補正対象項目名】０００４
【補正方法】変更
【補正の内容】
【０００４】
しかしながら、空き台が発生した場合に全ての空き台情報を提供すると、遊技者に対して訴求力のある情報を提供することができない。
【手続補正５】
【補正対象書類名】明細書
【補正対象項目名】０００５
【補正方法】変更
【補正の内容】
【０００５】
本発明は、このような背景のもとになされたものであり、その目的は、遊技者に対して訴求力のある空き台情報を提供することができるような、遊技用システムを提供することにある。
【手続補正６】
【補正対象書類名】明細書
【補正対象項目名】０００７
【補正方法】変更
【補正の内容】
【０００７】
まず手段１に係る発明は、
遊技機（パチンコ機１０）に対応して設けられ、遊技者が所有する遊技用価値（プリペイド残額，持玉数，貯玉数）を遊技機での遊技に使用させるための使用処理を行う遊技用装置（カードユニット２０）と、
遊技機が稼働しているか否かを特定可能な稼働情報に基づいて、稼働していない遊技機を空き台として特定する空き台特定手段（Ｓ６２の処理を行うホールコンピュータ７０の制御部７２）と、
遊技機がいずれの属性に属するかを示す属性情報を記憶する遊技機記憶手段（ホールコンピュータ７０の遊技機ＤＢ）と、
前記遊技機記憶手段に記憶された前記属性情報を表示条件として設定する表示条件設定手段（ホールコンピュータ７０のディスプレイ７４）と、から構成され、
前記空き台特定手段は、該表示条件設定手段により設定された表示条件を満たし、かつ稼働していない遊技機を、前記空き台として特定し（Ｓ６２）、
前記遊技用装置は、前記空き台特定手段により特定された空き台の情報を表示させる空き台表示処理を行う空き台表示手段（Ｓ５６の処理を行う制御部２２）を有することを特徴とする遊技用システム（１）である。
【手続補正７】
【補正対象書類名】明細書
【補正対象項目名】０００８
【補正方法】変更
【補正の内容】
【０００８】
この手段１に係る遊技用システムによれば、全ての空き台情報を提供するのではなく、表示条件として設定された属性情報を満たす空き台情報を提供することができるので、遊技者に対して訴求力のある情報を提供することができる。
【手続補正８】
【補正対象書類名】明細書
【補正対象項目名】０００９
【補正方法】変更
【補正の内容】
【０００９】
また手段２に係る発明は、
遊技機（パチンコ機１０）に対応して設けられ、遊技者が所有する遊技用価値（プリペイド残額，持玉数，貯玉数）を遊技機での遊技に使用させるための使用処理を行う遊技用装置（カードユニット２０）と、
遊技機が稼働しているか否かを特定可能な稼働情報に基づいて、稼働していない遊技機を空き台として特定する空き台特定手段（Ｓ６２の処理を行うホールコンピュータ７０の制御部７２）と、
遊技機における遊技の履歴情報を記憶する遊技機記憶手段（ホールコンピュータ７０の遊技機ＤＢ）と、
前記遊技機記憶手段に記憶された前記履歴情報を表示条件として設定する表示条件設定手段（ホールコンピュータ７０のディスプレイ７４）と、から構成され、
前記空き台特定手段は、該表示条件設定手段により設定された表示条件を満たし、かつ稼働していない遊技機を、前記空き台として特定（Ｓ６２）し、
前記遊技用装置は、前記空き台特定手段により特定された空き台の情報を表示させる空き台表示処理を行う空き台表示手段（Ｓ５６の処理を行う制御部２２）を有することを特徴とする遊技用システム（１）である。
【手続補正９】
【補正対象書類名】明細書
【補正対象項目名】００１０
【補正方法】変更
【補正の内容】
【００１０】
この手段２に係る遊技用システムによれば、全ての空き台情報を提供するのではなく、表示条件として設定された履歴情報を満たす空き台情報を提供することができるので、遊技者に対して訴求力のある情報を提供することができる。
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】